(57)【特許請求の範囲】
【請求項１】
オフィスとしての使用目的の空間を個別の仕事ゾーンに区画および画定するように適応された組み立て式仕切り壁（１０）を形成するために、並列パネル（１１）を支持するためのモジュール式支持構造体（２０）であって、下側横部材（２１）と、複数の中間横部材（２２）と、上側横部材（２３）と、隣接して配設された横部材（２１，２２，２３）の対と各々が連結する複数の垂直スペーサ（２４）とを含み、前記中間横部材（２２）の各々を垂直スペーサ（２４）の下側および上側対のそれぞれに共点で相互接続するために、１つのみの連結要素（２５）が与えられて、並列パネル（１１）をはめるための矩形基本セルのフレームワークからなる支持構造体を形成し、
また、各中間横部材（２２）は、前記連結要素（２５）を受けるようにされた貫通孔（３３）を自由端に備え、前記貫通孔（３３）の上側および下側開口部を囲む凹み表面（３４）を有し、
ことを特徴とする、並列パネルを支持するためのモジュール式支持構造体。
【請求項２】
連結要素（２５）は、フランジを形成する拡大部（２５Ｂ）を有する中間にある円形の円筒軸（２５Ａ）と、連結要素（２５）の軸（２５Ａ）の下部および上部からそれぞれ延在する一対の螺装端部（３０，３１）とを含むことを特徴とする請求項１に記載のモジュール式支持構造体。
【請求項３】
各中間横部材（２２）の自由端にある貫通孔（３３）の上側開口部の周りに設けられた凹み表面（３４）は、連結要素（２５）がそれぞれの貫通孔（３３）に挿入されたとき、連結要素（２５）のフランジを形成する拡大部（２５Ｂ）用の隣接表面として作用して、連結要素（２５）の軸（２５Ａ）の下部および上部からそれぞれ延在する螺装端部（３０，３１）の対を貫通孔（３３）の下側および上側の開口部からそれぞれ突出させて、それに関連する垂直スペーサ（２４）を連結させることができることを特徴とする請求項１または２に記載のモジュール式支持構造体。
【請求項４】
垂直スペーサ（２４）は、連結要素（２５）の下側（３０）および上側（３１）の螺装端部を受けるようにされたねじ穴を各端部に含むことを特徴とする請求項１または２に記載のモジュール式支持構造体。
【請求項５】
垂直スペーサ（２４）の上端部に作られた穴に、連結要素（２５）の下側螺装端部（３０）をねじで締めることができるように、適切なツールで作動するために、前記連結要素（２５）の上側螺装端部（３１）の上端に六角形ヘッド部（３２）が設けられる請求項４に記載のモジュール式支持構造体。
【請求項６】
垂直スペーサ（２４）の下端部に作られた穴に、連結要素（２５）の上側螺装端部（３１）をねじで締めることができるように、適切なツールで作動するために、垂直スペーサ（２４）の外面、好ましくは、その上部に、対向して配設された平坦面（２９）の対が設けられる請求項４に記載のモジュール式支持構造体。
【請求項７】
各パネル（１１）は、短い方の縦側面に切り取られた溝（Ｓ）を含み、前記溝（Ｓ）は、前記短い方の縦側面の長さにわたって延在し、垂直スペーサ（２４）を収容するようにされたものである請求項１に記載のモジュール式支持構造体。
【請求項８】
溝（Ｓ）に収容された垂直スペーサ（２４）を見えないようにするために、スナップ固定手段（Ｆ）により垂直スペーサ（２４）に取り付けられるようにされたカバー要素（Ｃ）が設けられる請求項７に記載のモジュール式支持構造体。
【請求項９】
下側横部材（２１）は、一対の貫通孔を自由端に含み、前記貫通孔には、前記貫通孔に挿入されたねじ（２６）により一対の上側垂直スペーサ（２４）が連結される請求項１に記載のモジュール式支持構造体。
【請求項１０】
上側横部材（２３）は、一対の貫通孔を自由端に含み、前記貫通孔には、前記貫通孔に挿入されたねじ（２６）により一対の下側垂直スペーサ（２４）が連結され、前記ねじ（２７）を見えないようにするために、前記ねじ（２７）用のカバー要素（２８）が設けられる請求項１に記載のモジュール式支持構造体。
【発明の詳細な説明】
【０００１】
【発明の属する技術分野】
本発明は、一般的に、オフィス家具の分野に関し、さらに詳しく言えば、オフィス空間を個別のゾーンに分割および画定するために、オフィスで使用される種類の並列パネルからなる組み立て式仕切り壁の組み立てに関する。
【０００２】
【従来の技術】
従来技術によれば、前述した種類の仕切りの組み立ては、一般的に、相互に連結される垂直部材と横部材とからなる支持構造体を利用し、それらの部材は、備え付けられる空間の床に載置され、パネルの支持体として作用して、支持構造体の垂直部材および横部材内にパネルをはめる。パネルは、木製、合成または複合材料などから作られたものであり、美的価値のある材料で作られたカバーを含むものであってよい。
【０００３】
【発明が解決しようとする課題】
しかしながら、このような組み立てには、比較的高額の設備費をかけなければ、その応用性を制限するいくつかの欠点がある。実際のところ、支持構造体が、垂直部材および横部材を組み立てて、上述した種類の従来技術により作られる場合、組み立てられる仕切りに利用可能なさまざまな寸法が制限され、これは、垂直部材と横部材の両方が、一般的に、制限された数の寸法で作られるためである。さらに従来の支持構造体には深刻な欠点があり、すなわち、組み立てられる壁の寸法がある一定の制限を超えると、その剛性が損なわれる傾向にあり、これにより、組み立て可能な壁の寸法により厳しい制限がかけられる。
本発明の目的は、従来の仕切り壁用の支持構造体の上述した欠点を回避して、並列パネルからなるモジュール式仕切り壁用の新規な支持構造体を提供することである。
【０００４】
【課題を解決するための手段】
本発明によれば、モジュール式支持構造体は、オフィスとしての使用目的の空間を個別の仕事ゾーンに区画および画定するように適応されたモジュール式仕切り壁を形成するために、並列パネルを支持するためのものであり、下側横部材と、複数の中間横部材と、上側横部材と、隣接して配設された横部材の対と各々が連結される複数の垂直スペーサとを備え、前記中間横部材の各々を前記下側および前記上側垂直スペーサの対にそれぞれ共点で相互接続するために、１つのみの連結要素が与えられて、並列パネルをはめるための矩形基本セルのフレームワークからなる支持構造体を形成する。
以下、添付の図面に示され例示的目的のみにより示された本発明の好適な実施形態に対して本発明をさらに詳細に記載するが、本発明はそれらに限定されるものではない。
【０００５】
【発明の実施の形態】
図１は、図示されていない他の同様の部材と連結されることを意図された組み立て式仕切り壁部材１０を示し、特定の機能的および美的基準に応じて、オフィスとしての使用目的をもつインテリア空間を区画するために適応される壁を形成する。このような仕切り壁部材は、いくつかの装飾パネル１１を並列させることで、本質的に公知の方法で形成される。
【０００６】
本発明によれば、組み立て式仕切り壁部材１０のパネル１１を支持するために、図２に参照符号２０で概して示された改良されたモジュール式支持構造体が提供される。この支持構造体２０は、下側横部材２１と、１以上の中間横部材２２と、上側横部材２３と、複数の垂直スペーサ２４とを含む。下横部材２１と、中間横部材２２と、上側横部材２３と、垂直スペーサ２４は、以下に記載される方法で共点で連結された、モジュール式仕切り壁１０を形成する並列装飾パネル１１をはめるためのフレームワークを形成する。組み立て式仕切り壁１０の全体の寸法から独立した寸法を有する複数の矩形基本セルからなるフレームワークを形成するために、横部材２１、２２、２３およびスペーサ２４が連結されるため、本発明のモジュール式支持構造体２０の剛性は、組み立て式仕切り壁を形成するための公知の支持構造体より大きい。
【０００７】
図３および図４を参照すると、本発明によるモジュール式支持構造体２０の２つの可能な変形例が示されている。これらの変形例を見れば、横部材２１、２２、２３の長さと幅およびスペーサ２４の数が異なることが分かるであろう。横部材とスペーサを相互連結して複数の矩形基本セルを形成することにより与えられる支持構造体の剛性の特徴を変えることなく、横部材の長さと幅およびスペーサの数を適切に選択することにより、異なる寸法の支持構造体を組み立てることができる。
【０００８】
図５に、下側横部材２１と、中間横部材２２と、上側横部材２３と、垂直スペーサ２４が連結されて、図１に示された組み立て式仕切り壁１０を形成する方法が示されている。横部材とスペーサを相互連結する手段についてより深く理解するために、仕切り壁部材１０を形成する装飾パネル１１の図示は省略されている。中間横部材２２と垂直スペーサ２４とを相互連結するために、参照符号２５で概して示された特別な連結要素が使用されているのに対して、下側横部材２１および上側横部材２３を垂直スペーサ２４に相互連結するために、参照符号２６および２７でそれぞれ概して示されている通常の接続手段、例えば、ねじが使用される。
【０００９】
図６は、下側横部材２１と、中間横部材２２と、上側横部材２３と、スペーサ２４に装飾パネル１１が連結されて、組み立て式仕切り壁２０を形成する方法を示す。図示されているように、各装飾パネル１１の短い方の縦側面に、装飾パネルの短い方の側面の長さにわたって延在し、垂直スペーサ２４の内側に入るための溝Ｓが形成される。次に、溝Ｓは、例えば、スナップクリップＦにより垂直スペーサ２４に固定されるカバー要素Ｃで閉じられることにより、垂直スペーサ２４は見えなくなる。
【００１０】
図７〜図１０を参照すると、連結要素２５がさらに詳細に示されている。この連結要素２５は、フランジを形成する拡大部２５Ｂを有する滑らかな円形の円筒軸２５Ａと、連結要素の軸２５Ａの下部および上部からそれぞれ延在する一対の螺装された端部３０、３１により実質的に形成される。螺装端部３１の自由端は、六角形のヘッド部３２で終端して、以下に記載されるツールによりそれを作動させることができる。
再度、図７〜１０を参照すると、横部材２２には、各連結要素２５の軸２５Ａを受け入れるための各端部に作られた貫通孔３３が設けられていることが分かるであろう。貫通孔３３の上側および下側開口部は、中間横部材２２の上側および下側に作られた凹み表面３４に位置する。この凹み表面３４は、連結要素２５のフランジ２５Ｂ用の隣接表面として作用することにより、連結要素２５の軸２５Ａを貫通孔３３内に保持でき、下側３０および上側の螺装端部が、横部材２２の自由端の上側および下側からそれぞれ突出する。連結要素２５の軸２５Ａが滑らかであるため、連結要素２５は、長手軸を中心に回転できる状態で貫通孔に収容される。さらに、凹み表面３４は、関連する中間横部材２２に連結された垂直スペーサの端部用の隣接表面としても作用する。下側横部材２１の上側と、上側横部材２３の下側の自由端にも同様の凹み表面３４が作られて、前記横部材２１、２３に連結された垂直スペーサ２４の端部用の隣接表面として作用する。
垂直スペーサ２４には、下側および上側の端部の両方に、連結要素２５の下側３０および上側３１の螺装端部をそれぞれ受けるように適用されたねじ穴が設けられる。さらに、垂直スペーサの上側端部の外面に、以下に記載される適切なツールによる操作に適応させた一対の対向して配設された平坦面２９が形成される。
モジュール式支持構造体２０および組み立て式仕切り壁要素１０を形成する装飾パネル１１の組み立てが、以下のステップで実行される。
【００１１】
第１のステップにおいて、図７および図８に示されているように、各連結要素２５の軸２５Ａのフランジ２５Ｂが、貫通孔３３の上側開口部を取り囲む凹み隣接表面３４に当たるまで、第１の中間横部材２２の自由端に形成された貫通孔３３内に上部から連結要素２５の第１の対が挿入される。この状態で、連結要素２５の第１の対のそれぞれの下側および上側の螺装端部３０および３１は、中間部材２２の自由端にある貫通孔の下側および上側開口部からそれぞれ突出することにより、それに下側および上側の垂直スペーサ２４の対が連結できる。
【００１２】
第２のステップにおいて、図８および図９に示されているように、連結要素２５の第１の対の下側螺装端部３０に下側垂直スペーサ２４の対が接続され、連結要素２５の第１の対の各上側螺装端部３１の六角形ヘッド部３２に作用することにより、レンチなどの適切なツールで第１の中間横部材２２に組み立てられる。
【００１３】
第３のステップにおいて、図１０に示されているように、連結要素２５の第１の対の上側螺装端部３１に上側垂直スペーサ２４の対が連結され、各垂直スペーサ２４の対向して配設された平坦面２９に作用することにより、レンチなどの適切なツールで第１の中間横部材２２に組み立てられる。
【００１４】
第４のステップにおいて、垂直スペーサ２４の上側対を第１の装飾パネル１１の短い方の縦側面に与えられた対応する溝Ｓ内に通すことにより、第１の中間横部材２２に連結された上側垂直スペーサ２４の対に第１の装飾パネル１１が挿入され、溝Ｓは、垂直スペーサ２４が見えないように、それにカバー要素Ｃを適用して閉じられる。
【００１５】
第５のステップにおいて、連結要素２５の第２の対を第２の中間横部材２２の自由端にある貫通孔３３に挿入し、垂直スペーサ２４に設けられた貫通孔に各連結要素２５の下側螺装端部３０をねじで締めることにより、第１の中間横部材２２に予め連結された垂直スペーサ２４の対に第２の中間横部材２２が連結されて、前記垂直スペーサ２４に第２の中間部材２２を連結して、第１の装飾パネル１１をはめる。
その後、関連する他の中間横部材２２のすべてに、第３、第４および第５のステップのそれぞれに記載された動作が繰り返される。
【００１６】
第６のステップにおいて、最下位にある中間横部材２２に連結された垂直スペーサ２４の下側対の間に、下側装飾パネル１１が挿入され、ねじ２６により垂直スペーサ２４の前記対に下側横部材２１が連結されて、組み立て式仕切り壁１０の基部にある装飾パネル１１をはめる。
【００１７】
第７および最後のステップにおいて、最上位にある中間横部材２２に連結された垂直スペーサ２４の上側対の間に、上側装飾パネル１１が挿入され、ねじ２７により垂直スペーサ２４の上側対に上側横部材２３が連結された後、ねじを見えないようにするために、そこにねじキャップ２８が適用される。このようにして、組み立て式仕切り壁１０の上部にも装飾パネル１１がはめられる。
【００１８】
【発明の効果】
以上のことから、本発明によるモジュール式支持構造体により、寸法が異なり比較的大きい組み立て式仕切り壁であっても、壁の剛性を損なうことなく組み立てることができるとともに、矩形基本セルのフレームワークを形成するためにしっかりと連結された横部材およびスペーサにより、このような壁を形成するすべての装飾パネルがはめられるため、比較的単純かつ経済的に達成されることは明らかである。
【図面の簡単な説明】
【図１】本発明によるモジュール式支持構造体とともに形成され並列パネルからなる組み立て式仕切り壁の等角投影図である。
【図２】組み立てられた状態にあるモジュール式支持構造体の等角投影図である。
【図３】図２に示したものに類似しているが、長さが異なるモジュール式支持構造体の等角投影図である。
【図４】図２に示したものに類似しているが、幅が異なるモジュール式支持構造体の等角投影図である。
【図５】構成部品が部分的な解体された状態を示した図２のモジュール式支持構造体の等角投影図である。
【図６】仕切り壁を形成するパネルを組み立てる間の図２のモジュール式支持構造体の一部分の等角投影図である。
【図７】本発明によるモジュール式支持構造体を形成するためのさまざまな組み立てステップを示す図である。
【図８】本発明によるモジュール式支持構造体を形成するためのさまざまな組み立てステップを示す図である。
【図９】本発明によるモジュール式支持構造体を形成するためのさまざまな組み立てステップを示す図である。
【図１０】本発明によるモジュール式支持構造体を形成するためのさまざまな組み立てステップを示す図である。
【符号の説明】
１０  モジュール（組み立て）式仕切り壁
１１  パネル
２０  モジュール式支持構造体
２１  下側横部材
２２  中間横部材
２３  上側横部材
２４  垂直スペーサ
２５  連結要素
２５Ａ  円筒軸
２５Ｂ  フランジ拡大部
２６、２７  ねじ
２８  カバー要素
２９  平坦面
３０，３１  螺装端部
３２  六角形ヘッド部
３３  貫通孔
３４  凹み表面
【図１】
0004200483.tif 000002
【図２】
0004200483.tif 000003
【図３】
0004200483.tif 000004
【図４】
0004200483.tif 000005
【図５】
0004200483.tif 000006
【図６】
0004200483.tif 000007
【図７】
0004200483.tif 000008
【図８】
0004200483.tif 000009
【図９】
0004200483.tif 000010
【図１０】
0004200483.tif 000011